(57)【特許請求の範囲】
【請求項１】
フロート編みを斜行させてなるスパイラルフロート編みで編成された略平行四辺形を呈する境界枠部により囲繞される連続模様としての囲枠柄を備え、これら個々の囲枠柄は、前記境界枠部の引張力を最大とし、該境界枠部と相似形を呈しながらその内側面をプレーン編みにより段階的に縮小させた少なくとも１以上の各区画領域毎に外側から順に引張力を低下させてなる圧接部の連続面により着圧付与部を形成したことを特徴とする衣類における着圧付与部の編成構造。
【請求項２】
フロート編みを斜行させてなるスパイラルフロート編みで編成された略平行四辺形を呈する境界枠部により囲繞される連続模様としての囲枠柄を備え、これら個々の囲枠柄は、縦方向に位置する対角  相互と交差しながらこれら各囲枠柄を縦方向に二分するフロート編みにより直進させて縦列支骨部を設け、該縦列支骨部と前記各囲枠柄との連続面により着圧付与部を形成したことを特徴とする衣類における着圧付与部の編成構造。
【請求項３】
前記縦列支骨部を介して個々の前記囲枠柄が略三角形状に二分されてなる各区画部は、前記境界枠部の引張力を最大とし、該境界枠部と相似形を呈しながらその内側面をプレーン編みにより段階的に縮小させた少なくとも１以上の各区画領域毎に外側から順に引張力を低下させてなる圧接部と前記縦列支骨部との連続面により着圧付与部を形成したことを特徴とする請求項２に記載の衣類における着圧付与部の編成構造。
【請求項４】
表地と、該表地側から折り返されて重ね合わされる裏地とを備え、該裏地にのみ前記着圧付与部を形成したことを特徴とする請求項１ないし３のいずれかに記載の衣類における着圧付与部の編成構造。
【請求項５】
表地と、該表地側から折り返されて重ね合わされる裏地とを備え、該裏地とその対面部位に位置する前記表地とのそれぞれに前記着圧付与部を形成したことを特徴とする請求項１ないし３のいずれかに記載の衣類における着圧付与部の編成構造。
【発明の詳細な説明】
【０００１】
【発明の属する技術分野】
本発明は、ソックス類の口ゴム部や肌着類の袖口部など、衣類の各種部位に形成される着圧付与部の編成構造に関する技術である。
【０００２】
肌着類の袖口部やソックス類の口ゴム部と称される部位には、従来からその着装時にめくれたりずり落ちたりしないように伸縮性が付与された編成構造が採用されている。また、身体の特定部位に着装されるサポーターなどのような衣類は、当該特定部位を圧迫するために比較的強い伸縮性が付与された編成構造が採用されている（本明細書では、上記いずれかの編成構造を採用することにより伸縮性が付与されている衣類の特定部位を「着圧付与部」という）。
【０００３】
そして、この場合における着圧付与部は、その周方向に均一なリブ編（ゴム編）を行って横方向での伸縮性を大きなものとすることにより、着装時のめくれやずり落ちを防止しようとするものであった。
【０００４】
なお、本明細書中の「衣類」には、ストッキングやパンティストッキング、ハイソックスなどの靴下類のほか、アンダーシャツやショーツなどの肌着類、さらにはスポーツウエアの下着やコルセットなどのような各種サポーターをも含むものとする。さらに、着圧付与部は、例えば衣類がストッキングであればウエルトと称される部位に、パンティストッキングであればウエストバンドと称される部位にそれぞれ形成されることになる。  また、上記着圧付与部を当接させる人体の部位は、個々の衣類の用途と機能とに応じてウエスト、太股、膝上、膝、膝下、足首、手首、肘、二の腕、腰部など、必要に応じ適宜の部位を任意に選択することができる。さらに、着圧付与部は、人体の例えば太股の全周にわたり当接配置できるように衣類に形成できるほか、人体の腹部などのような面的な広がりのもとで当接配置できるように衣類に形成することもできる。
【０００５】
【発明が解決しようとする課題】
しかし、従来構造の前記着圧付与部は、圧接面を介して全体に均一な着圧を付与し得るに止まるものであったため、着装時におけるめくれ防止やずり落ち防止を長時間にわたり確実、かつ、効果的に持続させることができない構造的な不都合があった。
【０００６】
また、従来構造においても前記着圧付与部の圧接力を強めることによりめくれやずり落ちの防止を図ることは可能であるものの、時間を経るにつれ締め付け感が増し、その着装時に窮屈で不快になる不具合があった。
【０００７】
本発明は、従来技術にみられた上記課題に鑑み、圧迫感を与えることなくめくれやずり落ちを効果的に防止して快適に着装できる衣類における着圧付与部の編成構造を提供することを目的とする。なお、本発明におけるフロート編みとは、編み目を１ウェールおき、もしくは数ウェールおきに編み糸を給糸しないでループを作らないようにした編成方法を、プレーン編みとは、編み目が連続してなる編成方法をそれぞれいう。
【０００８】
【課題を解決するための手段】
本発明は、上記目的を実現すべくなされたものであり、そのうちの第１の発明は、フロート編みを斜行させてなるスパイラルフロート編みで編成された略平行四辺形を呈する境界枠部により囲繞される連続模様としての囲枠柄を備え、これら個々の囲枠柄は、前記境界枠部の引張力を最大とし、該境界枠部と相似形を呈しながらその内側面をプレーン編みにより段階的に縮小させた少なくとも１以上の各区画領域毎に外側から順に引張力を低下させてなる圧接部の連続面により着圧付与部を形成したことに構成上の特徴がある。
【０００９】
また、第２の発明は、前記縦列支骨部を介して個々の前記囲枠柄が略三角形状に二分されてなる各区画部は、前記境界枠部の引張力を最大とし、該境界枠部と相似形を呈しながらその内側面をプレーン編みにより段階的に縮小させた少なくとも１以上の各区画領域毎に外側から順に引張力を低下させてなる圧接部と前記縦列支骨部との連続面により着圧付与部を形成したことに構成上の特徴がある。この場合、前記縦列支骨部を介して個々の前記囲枠柄が略三角形状に二分されてなる各区画部は、前記境界枠部の引張力を最大とし、該境界枠部と相似形を呈しながらその内側面をプレーン編みにより段階的に縮小させた少なくとも１以上の各区画領域毎に外側から順に引張力を低下させてなる圧接部と前記縦列支骨部との連続面により着圧付与部を形成しておくのが好ましい。
【００１０】
さらに、上記第１の発明と第２の発明とは、そのいずれもが表地と、該表地側から折り返されて重ね合わされる裏地とを備え、該裏地にのみ前記着圧付与部を形成したり、前記裏地とその対面部位に位置する前記表地とのそれぞれに前記着圧付与部を形成したりすることができる。
【００１１】
【発明の実施の形態】
図１は、本発明における第１の発明をソックスの口ゴム部に適用した例を示す概略説明図であり、そのうちの（ａ）は一部を省略した要部説明図を、（ｂ）は（ａ）における囲繞線部分の拡大図をそれぞれ示す。
【００１２】
同図によれば、衣類１１のひとつである丸編みされたソックス１２における口ゴム部１３は、フロート編みを斜行させてなるスパイラルフロート編みで編成された略平行四辺形を呈する境界枠部２０により囲繞される連続模様としての囲枠柄１６を備えて形成されている。
【００１３】
この場合における丸編みは、例えば計４カ所の給糸口のうち、１の給糸口からはナイロンヤーンを、２の給糸口からはシングルカバリングヤーンを、３の給糸口からはナイロンヤーンを、４の給糸口からはシングルカバリングヤーンを各別に供給するなどして行われる。なお、他の組合せパターンとしては、１の給糸口からはナイロンヤーンを、２の給糸口からはシングルカバリングヤーンとナイロンヤーンの両方を、３の給糸口からはナイロンヤーンを、４の給糸口からはシングルカバリングヤーンとナイロンヤーンの両方を各別に供給したり、１の給糸口と２の給糸口と３の給糸口とのそれぞれからはナイロンヤーンを各別に、４の給糸口からはシングルカバリングヤーンを供給したり、１の給糸口と２の給糸口と３の給糸口とのそれぞれからはナイロンヤーンを各別に、４の給糸口からはシングルカバリングヤーンとナイロンヤーンの両方を供給するなど、所望に応じた適宜の組合せが考えられる。また、スパイラルフロート編みをダブルカバリングヤーンを用いて行う場合には、より優れた引張効果を得ることができる。
【００１４】
しかも、この場合における個々の囲枠柄１６は、図３中に破線にて各別に示すように、その境界枠部２０の引張力を最大とし、該境界枠部２０と相似形を呈しながらその内側面をプレーン編みにより段階的に縮小させた各区画領域２０ａ〜２０ｌ毎に外側から順に引張力を低下させてなる圧接部１８として形成されている。なお、図３に示す例では、計１２個の区画領域２０ａ〜２０ｌが形成されているが、所望により適宜の幅のもとで少なくとも１個以上、好ましくは３個以上の適宜の数で外側から順に形成することができる。
【００１５】
このため、連続模様としての囲枠柄１６には、個々の圧接部１８があたかも蛸の吸盤のようなイメージの圧接面１９を形成し、該圧接面１９の連続により面としての広がりを有する着圧付与部１７としての機能が付与されることになる。
【００１６】
また、着圧付与部１７は、図１（ａ）におけるＡ−Ａ線矢視方向での断面図として示す図２におけるソックス１２の口ゴム部１３の表地１３ａと、該表地１３ａ側から折り返されて重ね合わされる裏地１３ｂとの双方に設けることができるほか、裏地１３ｂの側にのみ設けておくこともできる。
【００１７】
なお、図１と図３とに示されている個々の囲枠柄１６は、略菱形を呈して形成されているが、長方形や正四角形を呈するものであってもよい。
【００１８】
一方、図４は、本発明における第２の発明をストッキングのウエルト部に適用した例を示す概略説明図であり、そのうちの（ａ）は一部を省略した要部説明図を、（ｂ）は（ａ）における囲繞線部分の拡大図をそれぞれ示す。
【００１９】
同図によれば、衣類１１のひとつであるストッキング３２におけるウエルト部３３は、フロート編みを斜行させてなるスパイラルフロート編みで編成された略平行四辺形を呈する境界枠部４０により囲繞される連続模様としての囲枠柄３６を備えて形成されている。なお、第２の発明における糸の組合せは、第１の発明で説明した組合せパターンと同様にして行うことができる。
【００２０】
しかも、個々の囲枠柄３６には、縦方向に位置する対角θ１，θ２  相互と交差しながらこれらの囲枠柄３６を縦方向に二分するフロート編みにより直進させて形成される縦列支骨部４１が設けられており、これら囲枠柄３６と縦列支骨部４１との連続面により着圧付与部３７が形成されている。
【００２１】
この場合、縦列支骨部４１を介して個々の囲枠柄３６が略三角形状に二分されてなる各区画部３６ａ，３６ｂのそれぞれは、図６に示すように境界枠部４０の引張力を最大とし、該境界枠部４０と相似形を呈しながらその内側面にて段階的に縮小させた図中に破線で示す区画領域４０ａ〜４０ｇ毎に引張力を低下させて圧接部３８とし、該圧接部３８と縦列支骨部４１との連続面により着圧付与部３７を形成するのが好ましい。なお、図６に示す例では、計７個の区画領域４０ａ〜４０ｇが形成されているが、所望により適宜の幅のもとで少なくとも１個以上、好ましくは３個以上の適宜の数で外側から順に形成することができる。
【００２２】
このため、連続模様としての囲枠柄３６には、個々の圧接部３８があたかも蛸の吸盤のようなイメージの圧接面３９を形成し、該圧接面３９の連続により面としての広がりを有する着圧付与部３７としての機能が付与されることになる。
【００２３】
また、着圧付与部３７は、図４（ａ）におけるＢ−Ｂ線矢視方向での断面図として示す図６におけるストキング３２のウエルト部３３の表地３３ａと、該表地３３ａ側から折り返されて重ね合わされる裏地３３ｂとの双方に設けることができるほか、裏地３３ｂの側にのみ設けておくこともできる。
【００２４】
なお、図４と図６とにおいて縦列支骨部４１と各区画部３６ａ，３６ｂとで示される個々の囲枠柄３６は、その全体で略菱形を呈するものとなっているが、図示例以外にもその全体で長方形や正四角形を呈するものとすることもできる。
【００２５】
次に、本発明の作用につき、図１に示す第１の発明を例に説明すれば、ソックス１２は、これを履くことにより膝下部に口ゴム部１３を圧接させた状態で脚に着装することができる。
【００２６】
この場合、口ゴム部１３は、連続模様となった多数個の囲枠柄１６を備えており、しかも、個々の囲枠柄１６は、その境界枠部２０の引張力を最大とし、該境界枠部２０と相似形を呈しながらその内側面にて段階的に縮小させた各区画領域２０ａ〜２０ｌ毎に引張力を低下させた圧接部１８として形成されている。
【００２７】
このため、各囲枠柄１６には、個々の圧接部１８によりあたかも蛸の吸盤のような圧接面１９が形成される結果、連続模様となった多数個の囲枠柄１６に対し圧接面１９の連続により面としての広がりを有する着圧付与部１７として機能させることができる。
【００２８】
したがって、着圧付与部１７は、膝下部に口ゴム部１３を当接させても、従来のように当接面の全体に対し単に均一な圧接力を作用させるのではなく、個々の圧接部１８が外周側から内周側に向かって徐々に弱まる圧接力が散点状となって作用する結果、ずり落ちを効果的に防止しながら長時間にわたり快適に着装することができることになる。
【００２９】
本発明における第１の発明が奏するこのような優れた効果は、図２に示すソックス１２の口ゴム部１３の裏地１３ｂの側にのみ着圧付与部１７を設けても得ることができるが、表地１３ａと裏地１３ｂとの双方に着圧付与部１７を設けるならば、より好ましいものとすることができる。
【００３０】
一方、図４に示す第２の発明による場合には、ストッキング３２におけるウエルト部３３は、連続模様としての個々の囲枠柄３６が縦列支骨部４１を備えている。このため、縦列支骨部４１は、ウエルト部３３の縦方向（ストッキング３２の長さ方向）に向かっての保形性を維持する作用を発揮するに至り、着装時におけるめくれとずり落ちとを効果的に防止しながら長時間にわたり快適に着装することができることになる。
【００３１】
特に、縦列支骨部４１を介して個々の囲枠柄３６を二分してなる各区画部３６ａ，３６ｂのそれぞれが境界枠部４０の引張力を最大とし、該境界枠部４０の内側面の区画領域４０ａ〜４０ｇ毎に引張力を低下させた圧接部３８を形成している場合には、これらの圧接部３８が外周側から内周側に向かって徐々に弱まる圧接力が散点状となってあたかも蛸の吸盤のように作用する結果、ずり落ちをより効果的に防止しながら長時間にわたり快適に着装することができることになる。
【００３２】
本発明における第２の発明が奏するこのような優れた効果は、図５に示すストッキング３２のウエルト部３３の裏地３３ｂの側にのみ着圧付与部３７を設けても得ることができるが、表地３３ａと裏地３３ｂとの双方に着圧付与部３７を設けるならば、より好ましいものとすることができる。
【００３３】
以上は、ソックス１２やストッキング３２を例とした衣類１１に設けた着圧付与部１７，３７についてその作用を説明するものであるが、衣類１１の種類により人体への着圧付与部の当接位置やその当接状態も変化する。例えば、衣類が肌着類であればその袖口部に着圧付与部が形成され、衣類が腰部に着装するサポーターであれば、その全体に着圧付与部が形成されることになる。つまり、本発明における着圧付与部は、各種の衣類における圧接を希望する部位に適宜設けておくことができる。
【００３４】
【発明の効果】
以上述べたように本発明によれば、連続模様となった多数個の囲枠柄が個別に備える散点状の圧接部の圧接面の連続的な広がりにより着圧付与部を衣類に形成することができるので、ずり落ちを効果的に防止しながら長時間にわたり快適に着装することができる。
【００３５】
特に、個々の囲枠柄をその境界枠部の引張力を最大とし、該境界枠部の内側面に位置する各区画領域毎に引張力を低下させた圧接部として形成してある場合には、ずり落ちをより効果的に防止しながら長時間にわたり快適に着装することができる。
【００３６】
さらに、連続模様としての個々の囲枠柄が縦列支骨部を備えている場合には、着装時におけるめくれとずり落ちとを効果的に防止しながら衣類を長時間にわたり快適に着装することができる。
【図面の簡単な説明】
【図１】本発明における第１の発明をソックスの口ゴム部に適用した例を示す概略説明図であり、そのうちの（ａ）は一部を省略した要部説明図を、（ｂ）は（ａ）における囲繞線部分の拡大図をそれぞれ示す。
【図２】図１（ａ）におけるＡ−Ａ線矢視方向での拡大断面図。
【図３】第１の発明における着圧付与部の編成パターンの一例を示す拡大説明図。
【図４】本発明における第２の発明をストッキングのウエルト部に適用した例を示す概略説明図であり、そのうちの（ａ）は一部を省略した要部説明図を、（ｂ）は（ａ）における囲繞線部分の拡大図をそれぞれ示す。
【図５】図４（ａ）におけるＢ−Ｂ線矢視方向での拡大断面図。
【図６】第２の発明における着圧付与部の編成パターンの一例を示す拡大説明図
【符号の説明】
１１  衣類
１２  ソックス
１３  口ゴム部
１３ａ  表地
１３ｂ  裏地
１６  囲枠柄
１７  着圧付与部
１８  圧接部
１９  圧接面
２０  境界枠部
２０ａ〜２０ｌ  区画領域
３２  ストッキング
３３  ウエルト部
３３ａ  表地
３３ｂ  裏地
３６  囲枠柄
３６ａ，３６ｂ  区画部
３７  着圧付与部
３８  圧接部
３９  圧接面
４０  境界枠部
４０ａ〜４０ｇ  区画領域
４１  縦列支骨部
【図１】
0003615488.tif 000002
【図２】
0003615488.tif 000003
【図３】
0003615488.tif 000004
【図４】
0003615488.tif 000005
【図５】
0003615488.tif 000006
【図６】
0003615488.tif 000007